(57)【要約】【課題】  床面に方形又は矩形の床材を貼着していくと、最後に床材と壁面などの突き当たり面との間に短寸の間隙である短寸床面が生じるので、その短寸床面に床材が収まるように床材を切断するための定規であって、壁面が湾曲していたり歪みや小さな凹凸などがあって完全な水平面でなくても湾曲や歪みや凹凸に対応した切断線を得ることができる定規の提供を課題とする。【解決手段】  短寸床面よりも長寸になるように切断した床材を定規の上面にのせたときにその床材の非切断側の縁部を宛がう宛がい部が設けられ、床材の非切断側の縁部を前記宛がい部に宛がった状態で、前記床材を正規に貼着すべき位置よりも所定の距離だけ突き当たり面から平行移動させた位置に仮置きするために、床面上の設置部材に係止して定規の仮置きの位置決めをする止め部が定規の下面に設けられている。【選択図】  図７
2007256130.tif 000002
【特許請求の範囲】
【請求項１】
床面が突き当たり面に達している場所で、方形又は矩形の床材を貼着すべき床面が前記突き当たり面から直角方向に計測して床材よりも短寸である短寸床面の場合に、前記方形又は矩形の床材を前記短寸床面に合うように切断するための定規であって、前記短寸床面よりも長寸になるように切断した床材を定規の上面にのせたときにその床材の非切断側の縁部を宛がう宛がい部が設けられ、床材の非切断側の縁部を前記宛がい部に宛がった状態で、前記床材を正規に貼着すべき位置よりも所定の距離だけ突き当たり面から平行移動させた位置に仮置きするために、床面上の設置部材に係止して定規の仮置きの位置決めをする止め部が定規の下面に設けられていることを特徴とする定規。
【発明の詳細な説明】
【技術分野】
【０００１】
本発明は床材の切断線測定用定規に関する。例えば洋間の床面に方形又は矩形の床材を貼着していくと、最後に床材と壁面などの突き当たり面との間に短寸の間隙である短寸床面が生じる。本発明は、その短寸床面に床材が収まるように床材を切断する切断線を測定するための定規に関する。
【背景技術】
【０００２】
方形の床材の縁部が壁面と平行になるように床材を貼着していくときに、既に貼着した床材と壁面との間の短寸床面に床材が収まるように床材を切断するための定規は既に存在する（例えば、特許文献１参照。）。
また、方形の床材の縁部が壁面と４５度の角度をなすように貼着していくときに、既に貼着した床材と壁面との間の短寸床面に床材が収まるように床材を切断するための定規も既に存在する（例えば、特許文献２参照。）。
【特許文献１】実開平５−３６３０３号公報
【特許文献２】特開平７−２２５１０２号公報
【発明の開示】
【発明が解決しようとする課題】
【０００３】
床面に方形又は矩形の床材を貼着していくと、最後に床材と壁面などの突き当たり面との間に短寸の間隙である短寸床面が生じるので、その短寸床面に床材が収まるように床材を切断するための定規であって、壁面が湾曲していたり歪みや小さな凹凸などがあって完全な水平面でなくても湾曲や歪みや凹凸に対応した切断線を得ることができる定規の提供を課題とする。
【０００４】
特許文献１や特許文献２の定規は、壁面に宛がう定規板又はリンクと、カッター等を宛がって床材を切断するための定規板又はリンクを有している。そして、壁面に宛がった定規板又はリンクを実質上平行移動させたものを切断用の定規板又はリンクとして床材を切断する構成である。そして、これら特許文献１，２の定規は、壁面が湾曲していたり歪んでいたり凹凸があった場合には対応することができない。したがって、例えば壁面を完全な平面にしたつもりでもわずかながら凹凸があったときは、床材と壁面との間に隙間ができてしまうのである。そこで、本発明は壁面が完全な平面でなくても壁面に対応して切断線を定め、切断後に壁面にぴったりと合って隙間を生じさせないように切断することができる定規を提供することを目的とする。
【課題を解決するための手段】
【０００５】
本発明は、床面が突き当たり面に達している場所で、方形又は矩形の床材を貼着すべき床面が前記突き当たり面から直角方向に計測して床材よりも短寸である短寸床面の場合に、前記方形又は矩形の床材を前記短寸床面に合うように切断するための定規であって、前記短寸床面よりも長寸になるように切断した床材を定規の上面にのせたときにその床材の非切断側の縁部を宛がう宛がい部が設けられ、床材の非切断側の縁部を前記宛がい部に宛がった状態で、前記床材を正規に貼着すべき位置よりも所定の距離だけ突き当たり面から平行移動させた位置に仮置きするために、床面上の設置部材に係止して定規の仮置きの位置決めをする止め部が定規の下面に設けられている構成である。
【発明の効果】
【０００６】
前述したように、例えば洋間の床面に方形又は矩形の床材を貼着していくと、最後に床材と壁面などの突き当たり面との間に短寸床面が生じる。床材は定寸に形成されているから、床材を切断しなければこの短寸床面に床材を貼着することができない。本発明の定規はこの短寸床面に収まるように床材を切断するための定規である。本発明を実施するためには床材に切断線を引くための線引き具を必要とする。この線引き具は比較的細長く形成され、その先端から所定の距離だけ後退した位置に下向きの線引き部を有している。例えば、線引き具が罫書き具であるときは線引き部は針である。針が床材に切断線を引く作用をなす。そして、床面と壁面などの突き当たり面との間の短寸床面が床材よりも短寸である場合に、前記床材を前記短寸床面に合うように切断するための切断線を引くときは、まず、あらかじめ短寸床面よりも長寸になるように切断した床材を用意する。次に、定規の止め部を床面上の設置部材に係止して定規の位置決めをする。定規の位置は壁面からやや離れる。ここで、床面上の設置部材とは、例えば既に貼着されている床材である。また、階段であれば踏み板が床面であり、設置部材は踏み板の縁部に取り付けられた滑り止め部材である。次に、前述したようにあらかじめ短寸床面よりも長寸になるように切断された床材の非切断側の縁部を定規の宛がい部に宛がう。
【０００７】
次に、罫書き具を用意する。前述したように、床材を正規に貼着すべき位置よりも所定の距離だけ突き当たり面から平行移動させた位置に仮置きするために、床面上の設置部材に係止して定規の仮置きの位置決めをする止め部が定規の下面に設けられている。罫書き具の先端から針までの距離をその所定の距離と等しくなるように設定する。次に、罫書き具の先端を壁面に直角に宛がい、直角状態を保ったまま罫書き具の先端を壁面に沿って横方向に移動させ、それと同時に罫書き具の針を床材に宛がいながら切断線を引く。そして、この切断線で床材を切断して不要部分を切り離し、残った床材の切断縁を壁面に宛がうことによってその床材が短寸床面にぴったり収まる。壁面が湾曲していたり歪んでいたり凹凸があっても、罫書き具の先端はそれに沿って移動するから、針も同様に移動して切断線を引く。そうすると、その切断線は壁面にぴったり対応して、短寸床面に収めた床材と壁面との間に隙間が生じない。本発明の定規によって、床材と壁面との間の短寸床面に隙間が生じない床材を容易に切断することができる。
【発明を実施するための最良の形態】
【０００８】
発明の実施するための最良の形態として以下のとおり２つの実施例を挙げる。
【実施例１】
【０００９】
図１及び図２に示す矩形定規１は、方形又は矩形の床材の縁部が壁面と平行になるように床材を貼着していくときに用いるためのものである。図１は矩形定規１の上面図である。上面２の後端に上向きの宛がい部３が横方向の全長に亘って設けられている。宛がい部３の内面１４に床材が接触するように宛がわれる。また、宛がい部３に近接して２つの孔部４，４が形成されている。孔部４，４は矩形定規１を持ちやすくするためのものである。図２は矩形定規１の下面図である。下面５の孔部４，４よりもやや前寄りに止め部６が設けられている。止め部６は図３に示すように断面が直角三角形の突条であって横方向の全長に亘って設けられている。止め部６の下面５から垂直に立ち上がる垂直面１５に既に貼着されている床材の縁部が当たって矩形定規１は係止される。矩形定規１は透明な材料で形成することが好ましい。
【００１０】
次に、矩形定規１の使用方法について説明する。図４及び図５は罫書き具７であって細長に形成されている。なお、罫書き具はこれに限定されるものではない。罫書き具７の先端部８はやや丸みを帯びた三角頂部の形状をなす。針９はネジ部材１０で罫書き具７に装着され、ネジ部材１０の緩め締めによって前後に位置を変更できる。図３に示すように矩形定規１における宛がい部３の内面１４と止め部６の垂直面１５との距離が矩形定規１の所定距離ａであって、罫書き具７の先端部８と針９との距離もこの所定距離ａと同じになるように設定する。
【００１１】
図６は、貼着床材１１が既に床面に貼着され、最後に貼着床材１１と壁面１２の間に短寸床面１３が残った状態を示している。ここで矩形定規１を用意し、止め部６の垂直面１５を貼着床材１１の縁部１６に当てて矩形定規１の位置を定める。このとき、下面５の縁部に設けられた突部１９，１９，１９が短寸床面１３に接触する。短寸床面１３にはあらかじめ貼着剤が塗布されているから、突部１９，１９，１９によって矩形定規１の他の部分に貼着剤が付着することを防止できる。次に、最後の床材１７を用意する。最後の床材１７は壁面１２と宛がい部３の内面１４との間に余裕をもって収まるように一定幅だけ折り取る。残った最後の床材１７の折り取らない側の縁部１８を宛がい部３の内面１４に宛がう。そして、罫書き具７を手に持ってその先端部８を壁面１２に直角に当て、そのまま横方向に移動する。その際、罫書き具７の針９が最後の床材１７の表面を罫書いて切断線３９が引かれるように押し付ける。罫書き具７の先端部８は壁面１２の形状を忠実に針９に伝えるから、切断線３９から不要部分を切り取った最後の床材１７の切断縁は壁面１２にぴったり合致する。床材は主にビニルタイルが用いられ、やや硬く割れやすい材料のものであれば切断線３９から不要部分を容易に折り取ることができる。柔軟性に富み折り取ることができない材料のときは切断線３９に沿ってカッターナイフなどで切断する。切断した最後の床材１７を短寸床面１３に収めて作業が完了する。
【００１２】
このようにして切断線３９から不要部分を切り取った最後の床材１７が短寸床面１３にぴったり収まる理由について説明する。まず、矩形定規１の止め部６の垂直面１５を貼着床材１１の縁部１６に当てて矩形定規１の位置を定めると、矩形定規１における宛がい部３の内面１４と止め部６の垂直面１５との距離が矩形定規１の所定距離であるから、宛がい部３の内面１４は貼着床材１１の縁部１６から所定の距離ａだけ離れている。したがって、この内面１４に最後の床材１７を宛がうと、最後の床材１７の縁部１８も所定の距離ａだけ貼着床材１１の縁部１６から離れる。壁面１２がなければ、最後の床材１７の縁部１８と貼着床材１１の縁部１６は接するのであるから、最後の床材１７はその位置から所定の距離ａだけ移動したことになる。その状態で、罫書き具７によって最後の床材１７に引かれた切断線３９は壁面１２から所定の距離ａだけ離れた位置に引かれる。次に、切断線３９から不要部分を折り取る。次に、その切断縁を壁面１２に当てればぴったり合致する。また、最後の床材１７は罫書き具７によって切断線３９を引くときは所定の距離ａだけ貼着床材１１に重なる方向に移動していたのであるから、切断線３９が壁面１２に当たるまで移動したときは、当初移動していた所定の距離ａだけ元に戻るので、最後の床材１７の縁部１８と貼着床材１１の縁部１６が接するようにして最後の床材１７は短寸床面１３に収まる。
【実施例２】
【００１３】
図８及び図９に示す台形定規２０は、方形の床材の縁部が壁面と４５度の角度をなすように貼着していくときに、貼着床材と壁面との間の短寸床面に最後の床材が収まるように床材を切断するための定規である。台形定規２０の上面２１の両斜辺に沿って宛がい部２２，２２が設けられている。両宛がい部２２，２２は直角をなすが直交しておらず、間隙部２３を有している。両宛がい部２２，２２は直交させて三角形の頂部を形成させてもよい。また、台形定規２０のほぼ中央に一対の孔部２４，２４が形成されている。図９に示すように台形定規２０の下面２５には、両宛がい部２２，２２と平行で孔部２４，２４寄りに２つの止め部２６，２６が設けられている。両止め部２６，２６は直角をなすが直行しておらず、間隙部３２を有している。両止め部２６，２６は直交させて三角形の頂部を形成させてもよい。それら場合には台形定規ではなく三角形定規となる。両宛がい部２２の両内面２７，２７の延長交点２８と、両止め部２６，２６の両垂直面２９，２９の延長交点３０との距離ｂが所定の距離である。台形定規２０は透明な材料で形成することが好ましい。なお、符号３８，３８は突部であって矩形定規１の突部１９と同じ作用をなす。両宛がい部２２，２２を直交させて三角形の頂部を形成させたときと、両止め部２６，２６を直交させて三角形の頂部を形成させたときは、延長交点２８と延長交点３０は三角形の頂部となるから延長交点ではなく交点となる。
【００１４】
次に台形定規２０の使用方法について説明する。図１１に示すように貼着床材３１，３１の縁部３３，３３に止め部２６，２６の垂直面２９，２９を当てる。次に、最後の床材３４を用意する。最後の床材３４の縁部３５，３５を宛がい部２２，２２の内面２７，２７に宛がったときに、最後の床材３４が壁面３６に当たることなく余裕をもって収まる長さになるように最後の床材３４を一定の幅だけ折り取る。この一定の幅は、最後の床材３４の対角線方向の長さを幅としたときの一定の幅である。次に、罫書き具７を手に持ってその先端部８を壁面３６に直角に当て、そのまま横方向に移動する。その際、罫書き具７の針９が最後の床材３４の表面を罫書いて切断線４０が引かれるように押し付ける。罫書き具７の先端部８と針９との距離は前述した所定の距離ｂと同じになるように設定する。罫書き具７の先端部８は壁面３６の形状を忠実に針９に伝えるから、切断線４０から不要部分を切り取った最後の床材３４の切断縁は壁面３６にぴったり合致する。床材がやや硬く割れやすい材料のものであれば切断線４０から不要部分を容易に折り取ることができる。柔軟性に富み折り取ることができない材料から成る床材のときは切断線４０に沿ってカッターナイフなどで切断する。このようにして切断した最後の床材３４は、短寸床面３７にぴったり収まり壁面３６との間に隙間を生じない。なぜならば、最後の床材３４は本来の設置場所から所定の距離ｂだけ壁面３６から離して置き、壁面３６から所定の距離ｂだけ離れた針９で壁面３６の線を切断線４０として罫書き、切断後に所定の距離ｂだけ移動して本来の設置場所に移動するからである。
【図面の簡単な説明】
【００１５】
【図１】本発明の上面図
【図２】本発明の下面図
【図３】図１におけるＡ−Ａ断面図
【図４】罫書き具の上面図
【図５】罫書き具の側面図
【図６】本発明の使用状態を示す図
【図７】本発明の使用状態を示す図
【図８】本発明の他の実施例の上面図
【図９】本発明の他の実施例の下面図
【図１０】図９におけるＢ−Ｂ断面図
【図１１】本発明の他の実施例の使用状態を示す図
【図１２】本発明の他の実施例の使用状態を示す図
【符号の説明】
【００１６】
１  矩形定規
２  上面
３  宛がい部
４  孔部
５  下面
６  止め部
７  罫書き具
８  先端部
９  針
１０  ネジ部材
１１  貼着床材
１２  壁面
１３  短寸床面
１４  内面
１５  垂直面
１６  縁部
１７  最後の床材
１８  縁部
１９  突部
２０  台形定規
２１  上面
２２  宛がい部
２３  間隙部
２４  孔部
２５  下面
２６  止め部
２７  内面
２８  延長交点
２９  垂直面
３０  延長交点
３１  貼着床材
３２  間隙部
３３  縁部
３４  最後の床材
３５  縁部
３６  壁面
３７  短寸床面
３８  突部
３９  切断線
４０  切断線
【図１】
2007256130.tif 000003
【図２】
2007256130.tif 000004
【図３】
2007256130.tif 000005
【図４】
2007256130.tif 000006
【図５】
2007256130.tif 000007
【図６】
2007256130.tif 000008
【図７】
2007256130.tif 000009
【図８】
2007256130.tif 000010
【図９】
2007256130.tif 000011
【図１０】
2007256130.tif 000012
【図１１】
2007256130.tif 000013
【図１２】
2007256130.tif 000014